(57)【要約】【課題】隣設する間仕切パネルの対向部同士の当接箇所が目立たない移動間仕切装置を提供する。【解決手段】天井Ｒに架設したレール９に沿って案内される複数の間仕切パネルのうち、隣設する間仕切パネル１０Ａ，１０Ｂの対向する対向部１１，２１同士を突き合わせて部屋内を仕切るようにした移動間仕切装置１において、前記両対向部１１，２１は、枠体と、該枠体から突出する断面が均一で上下方向に延びる緩衝部１５ｂ，２５ｂを備えており、少なくとも隣設する間仕切パネルの対向する対向部１１，２１同士の突き合わせ状態で、前記両緩衝部１５ｂ，２５ｂ同士が前後方向に重なるように、一方の枠体に設けられた緩衝部と他方の枠体に設けられた緩衝部とが断面視非線対称の形状に形成されている。【選択図】図４
2014015743.tif 000002
【特許請求の範囲】
【請求項１】
天井に架設したレールに沿って案内される複数の間仕切パネルのうち、隣設する間仕切パネルの対向する対向部同士を突き合わせて部屋内を仕切るようにした移動間仕切装置において、
前記両対向部は、枠体と、該枠体から突出する断面が均一で上下方向に延びる緩衝部を備えており、少なくとも隣設する間仕切パネルの対向する対向部同士の突き合わせ状態で、前記両緩衝部同士が前後方向に重なるように、一方の枠体に設けられた緩衝部と他方の枠体に設けられた緩衝部とが断面視非線対称の形状に形成されていることを特徴とする移動間仕切装置。
【請求項２】
少なくとも隣設する間仕切パネルの対向する対向部同士の突き合わせ状態で、前記緩衝部の少なくとも一方が対向する枠体に当接するようになっていることを特徴とする請求項１に記載の移動間仕切装置。
【請求項３】
緩衝部材は前記緩衝部と前記枠体に取付けられる基部とを有し、かつ隣設し合う間仕切パネル同士の前記対向部の前記枠体には上下方向に延びる嵌入凹部が形成され、前記基部が前記嵌入凹部に嵌入されることにより前記緩衝部材が枠体に固定されるようになっており、少なくとも前記基部の断面形状が全て同形状に形成されてなることを特徴とする請求項１または２に記載の移動間仕切装置。
【請求項４】
緩衝部材は、少なくとも前記緩衝部材が両枠体に固定された際の互いの前記緩衝部材の断面形状が、点対称の関係になることを特徴とする請求項１ないし３のいずれかに記載の移動間仕切装置。
【発明の詳細な説明】
【技術分野】
【０００１】
本発明は、上部が天井に架設されたガイドレールにより案内支持される間仕切パネルにより室内空間を仕切るようにした移動間仕切装置に関する。
【背景技術】
【０００２】
従来の移動間仕切装置においては、天井に架設したレールに沿って案内される複数の間仕切パネルのうち、隣設する間仕切パネル同士の側端面（対向部）を突き合わせ、部屋内を仕切るようにしたものが知られている（例えば、特許文献１）。特に、特許文献１に示されるような間仕切パネルは、図７に概念的に示されるように、各間仕切パネル１００Ａ，１００Ｂの対向部１１０，２１０に間仕切パネル１００Ａと１００Ｂとの対向方向に直交する平坦面を有する緩衝部材を備え、当該緩衝部材１５０，２５０同士を上下方向に当接させることで間仕切パネル１００Ａ，１００Ｂ同士を突き合わせるようになっている。
【先行技術文献】
【特許文献】
【０００３】
【特許文献１】特開２００２−３５７０５８号公報
【発明の概要】
【発明が解決しようとする課題】
【０００４】
しかしながら、図７に示されるような移動間仕切装置にあっては、壁面の僅かな傾き、天井の変形に伴い、間仕切パネル１００Ａ，１００Ｂ同士を突き合わせる際において、間仕切パネル１００Ａ、１００Ｂいずれか、若しくは両方に若干の傾きが生じることがあり、この傾きにより図７の囲み部に示されるように、緩衝部材１５０と２５０とが当接しない間隙Ｐが生じる慮がある。また、間仕切パネル１００Ａ，１００Ｂ同士の当接箇所に相対的に掛かる押圧力が十分でない場合などにも、このような間隙が生じる場合がある。これにより、緩衝部材１５０と２５０との当接箇所および間隙Ｐが目立ち、美観が損なわれるという問題がある。また、移動間仕切装置により仕切られた部屋間で光量に差がある場合には、間隙Ｐから光が漏れ出てしまい、さらに当接箇所が目立ってしまうという問題がある。
【０００５】
本発明は、このような問題点に着目してなされたもので、隣設する間仕切パネルの対向部同士の当接箇所が目立たない移動間仕切装置を提供することを目的とする。
【課題を解決するための手段】
【０００６】
前記課題を解決するために、本発明の移動間仕切装置は、
天井に架設したレールに沿って案内される複数の間仕切パネルのうち、隣設する間仕切パネルの対向する対向部同士を突き合わせて部屋内を仕切るようにした移動間仕切装置において、
前記両対向部は、枠体と、該枠体から突出する断面が均一で上下方向に延びる緩衝部を備えており、少なくとも隣設する間仕切パネルの対向する対向部同士の突き合わせ状態で、前記両緩衝部同士が前後方向に重なるように、一方の枠体に設けられた緩衝部と他方の枠体に設けられた緩衝部とが断面視非線対称の形状に形成されていることを特徴としている。
この特徴によれば、少なくとも隣設する間仕切パネルの対向する対向部同士の突き合わせ状態で、前記両緩衝部同士が前後方向に重なるように、一方の枠体に設けられた緩衝部と他方の枠体に設けられた緩衝部と形成されているため、隣設する間仕切パネルのそれぞれの対向部同士の突き合わせ部分に僅かな隙間が生じても、互いの緩衝部の重なりで光の漏れなどが軽減され、隣設する間仕切パネルの対向部同士の当接箇所が目立たないようにできる。
【０００７】
少なくとも隣設する間仕切パネルの対向する対向部同士の突き合わせ状態で、前記緩衝部の少なくとも一方が対向する枠体に当接するようになっていることを特徴としている。
この特徴によれば、緩衝部をパネルの対向方向に長く確保できることから、一方の枠体に設けられた緩衝部と他方の枠体に設けられた緩衝部との両緩衝部同士の重なりシロを長くでき、隣設する間仕切パネルの対向部同士の大きな隙間を目立たなくできる。
【０００８】
緩衝部材は前記緩衝部と前記枠体に取付けられる基部とを有し、かつ隣設し合う間仕切パネル同士の前記対向部の前記枠体には上下方向に延びる嵌入凹部が形成され、前記基部が前記嵌入凹部に嵌入されることにより前記緩衝部材が枠体に固定されるようになっており、少なくとも前記基部の断面形状が全て同形状に形成されてなることを特徴としている。
この特徴によれば、前記基部の断面形状が全て同形状に形成されているため、前記嵌入凹部の形状が一個に統一され、枠体の共用が図れるため枠体の製造コストを抑えることができる。
【０００９】
緩衝部材は、少なくとも前記緩衝部材が両枠体に固定された際の互いの前記緩衝部材の断面形状が、点対称の関係になることを特徴としている。
この特徴によれば、一個の形状の緩衝部材を、隣設し合う間仕切パネル同士の前記両対向部の枠体に共用して固定でき、製造コストを抑えることができる。
【図面の簡単な説明】
【００１０】
【図１】本発明の適用された移動間仕切装置を示す正面図である。
【図２】移動間仕切装置の対向部を示す拡大平断面図である。
【図３】（ａ）は、一方の緩衝部材を示す平面概念図であり、（ｂ）は、他方の緩衝部材を示す平面概念図である。
【図４】間仕切パネル同士を突き合わせ時における対向部の状態を示す拡大平断面図である。
【図５】対向部における緩衝部材の第１変形例を示す拡大平断面図である。
【図６】（ａ）は、対向部における緩衝部材の第２変形例を示す拡大平断面図であり、（ｂ）は、同じく第３変形例を示す拡大平断面図であり、（ｃ）は、同じく第４変形例を示す拡大平断面図であり、（ｄ）は、第５変形例を示す拡大平断面図である。
【図７】従来の移動間仕切装置を示す正面図である。
【発明を実施するための形態】
【００１１】
本発明に係る移動間仕切装置を実施するための形態を実施例に基づいて以下に説明する。
【実施例】
【００１２】
実施例に係る移動間仕切装置につき、図１〜図６を参照して説明する。図１の符号１は、移動間仕切装置である。この移動間仕切装置１は、複数用意された間仕切パネルを連接することにより、部屋内の空間を仕切ることができるものであり、本実施例においては、前記複数の間仕切パネルのうち無作為に選定した間仕切パネル１０Ａ，１０Ｂを用いて説明する。
【００１３】
まず、図１に基づいて説明すると、この移動間仕切装置１に使用される間仕切パネル１０Ａ，１０Ｂは、本体がガラス板、アルミ板、その他の素材から成るパネル材５と、その上下両端にアルミ枠などで構成された上部フレーム３と下部フレーム４とが装着されている。上部フレーム３には、上端部に回転可能に軸支されたガイドローラ８が設けられ、ガイドローラ８が天井Ｒに架設されたレール９に摺動可能に挿嵌されており、下部フレーム４には、床面Ｆを走行自在なキャスタ６が設けられ、間仕切パネル１０Ａ，１０Ｂがレール９に沿って移動可能に支持されている。
【００１４】
さらに、間仕切パネル１０Ａ，１０Ｂの両側端には、アルミ材などで構成された枠体であるサイドフレーム１６，２６が形成されており、図２に示されるように、これらサイドフレーム１６，２６には、隣設する間仕切パネル１０Ａ，１０Ｂ同士を突き合わせる際の緩衝材としての緩衝部材１５，２５が取付けられている。本実施例を説明するために、サイドフレーム１６，２６の対向面と緩衝部材１５，２５の対向面とを、対向部１１，２１と総称して説明する。なお、サイドフレーム１６，２６には、それぞれの対向する面の中央部に緩衝部材１５，２５を着脱可能に係止できる嵌入凹部１６ａ，２６ａが、それぞれサイドフレーム１６，２６の上下方向に渡って形成されている。さらに、嵌入凹部１６ａ，２６ａは係止片１６ｂ，１６ｂ及び係止片２６ｂ，２６ｂをそれぞれ備えており、後述する緩衝部材１５，２５の抜け出しを防止できるようになっている。
【００１５】
緩衝部材１５，２５は、間仕切パネルの上下方向に延び、断面が均一の形状であるゴム等の弾性を有する部材から形成されており、図３（ａ）に示されるように、一方の緩衝部材１５は、サイドフレームの嵌入凹部１６ａ（図２参照）に嵌入される基部１５ａと、サイドフレームから対向方向に突出する緩衝部１５ｂとにより形成されており（両者は破線で区分されて示されている）、緩衝部１５ｂは、平坦な当接面１２０を備えている。
【００１６】
また、図３（ｂ）に示されるように、他方の緩衝部材２５は、嵌入凹部１６ｂ（図２参照）に嵌入される基部２５ａと、基部２５ａから対向方向に延設される緩衝部２５ｂとにより形成されており（両者は破線で区分されて示されている）、緩衝部２５ｂには、前記緩衝部１５ｂの当接面１２０と接触可能な当接面２２０と、その両側に突出する突出部２５１，２５２が間仕切パネルの上下方向に延設されている。
【００１７】
緩衝部材１５，２５は、基部１５ａ及び２５ａが嵌入凹部１６ａ，１６ｂにそれぞれ嵌入されることによりサイドフレーム１６，２６に固定されるようになっている。なお、図２および図３に示されるように、基部１５ａ，２５ａの断面形状が全て同形状に形成されている。そのため、嵌入凹部１６ａ，１６ｂの形状が一つに統一され、サイドフレーム１６，２６の共用が図れるためサイドフレームの製造コストを抑えることができる。
【００１８】
続いて、隣設する間仕切パネル１０Ａ，１０Ｂの対向する対向部１１，２１同士が突き合わされた状態を、図４を用いて説明する。なお、図４に示される矢印α，βは、間仕切パネル１０Ａ，１０Ｂが対向し合う対向方向に対して直交する視線の方向を示している。
【００１９】
当初の設計に基づく構造の移動間仕切装置にあっては、対向部１１，２１同士を突き合わせる場合、すなわちパネルの閉塞状態では当接面１２０、２２０が相互に当接するとともに、突出部２５１，２５２の端面２５１ａ，２５２ａが当接面１２０，２２０の前後でサイドフレーム１６に当接するようになっている。したがって、光が対向部１１，２１間を直進できないことから、間仕切りパネル１０Ａ，１０Ｂにより仕切られる部屋間に光量の差がある場合であっても、光の漏れはない。しかし、壁面の僅かな傾き、天井の変形に伴い、間仕切パネル１０Ａ，１０Ｂ同士を突き合わせる際において、間仕切パネル１０Ａ、１０Ｂいずれか、若しくは両方に若干の傾きが生じることがある。これにより、間仕切パネル１０Ａ、１０Ｂ間に間隙が生じることがあるが、突出部２５１および２５２が当接面１２０，２２０より対向方向、即ち間仕切パネル１０Ａの方向に突出していることから、矢印α方向視において、両当接面１２０、２２０同士の当接箇所が突出部２５１によって被覆され、同様に矢印β方向視においては、当接箇所が突出部２５２によって被覆されるようになる。これによれば、隣設する間仕切パネル１０Ａ，１０Ｂの対向部１１，２１同士の当接箇所を目立たなくすることができる。また、緩衝部１５ｂ，２５ｂが前後に重なることにより、光が対向部１１，２１間を直進できないことから、間仕切りパネル１０Ａ，１０Ｂにより仕切られる部屋間に光量の差がある場合であっても、光の漏れを軽減できる。
【００２０】
また、突出部２５１，２５２の端面２５１ａ，２５２ａがサイドフレーム１６に当接するようになっているため、緩衝部１５ｂ，２５ｂをパネルの対向方向に長く確保できることから、一方の枠体に設けられた緩衝部１５ｂと他方の枠体に設けられた緩衝部２５ｂとの両緩衝部同士の重なりシロを長くでき、隣設する間仕切パネルの対向部同士の大きな隙間を目立たなくできるといった効果がある。
【００２１】
さらに、一方の緩衝部材１５はサイドフレームから対向方向に突出する緩衝部１５ｂを有しており、他方の緩衝部材２５はその両側に突出する突出部２５１，２５２を上下方向にそれぞれ有する緩衝部２５ｂが設けられているため、断面視において略凹形状に形成される緩衝部２５ｂに、略凸形状の緩衝部１５ｂが上下方向に亘り嵌入するようになっている。これによれば、緩衝部１５ｂと突出部２５１，２５２との前後方向への移動が規制されることになり、パネル同士の傾きによる前後方向へのズレ（特に下方部のズレ）を効果的に防止し、両者間にできる隙間の形成を阻止できる。また、緩衝部１５ｂの先端部が先細りのテーパー部に形成されているとともに、このテーパー部が断面視において略凹形状に形成される緩衝部２５ｂに嵌入するようになっているため、上述の前後方向へのズレを効果的に防止しながらも、緩衝部１５ｂ，２６ｂ同士の離間が容易となっている。
【００２２】
尚、本実施例において、サイドフレーム１６とサイドフレーム２６とは、同一形状に形成されているが、これに限られず、両サイドフレームが異なる形状に形成されていてもよい。
【００２３】
更に尚、本実施例では、緩衝部材１５，２５同士が当接可能な当接面１２０，２２０を本発明の当接箇所として説明しているが、本発明における当接箇所は、対向部の同士が当接可能な部分であれば緩衝部材同士の当接面に限るものではない。
【００２４】
また、緩衝部材の第１変形例としては、突出部２５１’，２５２’は必ずしも端面２５１ａ’，２５２ｂ’がサイドフレーム１６に当接可能な寸法に形成されていなくてもよく、図５に示されるように端面２５１ａ’，２５２ｂ’が当接面１２０，２２０より対向方向、即ち緩衝部１５ｂ，２５ｂが前後に重なるような形状であれば、突出部２５１’，２５２’がサイドフレーム１６より離間する寸法に設計されていてもよい。
【００２５】
次いで、緩衝部材の第２変形例について説明する。図６の（ａ）に示されるように、サイドフレーム１６には、当接面１３０の一方の端部に対向方向に突出する突出部３３が設けられた緩衝部材３５が取付けられており、同様にサイドフレーム２６に対して緩衝部材３５’が緩衝部材３５と点対称に取付けられている。これによれば、矢印α方向視において当接面１３０，１３０’が突出部３３によって被覆されとともに、矢印β方向視においては突出部３３’により当接面１３０，１３０’ が被覆されるため、緩衝部材３５，３５’同士の当接箇所を目立たなくすることができる。また、緩衝部材３５，３５’を同一形状とすることができるため、制作コストを抑えることができる。
【００２６】
次いで、緩衝部材の第３変形例について図６（ｂ）を用いて説明する。本変形例は、前記第２変形例と同様に緩衝部材５５，５５’が同一形状に形成されている。緩衝部材５５の当接面１４０は、間仕切りパネル同士の対向方向に対して傾斜して形成されており、緩衝部５５ｂは当接面１４０の後方端部がサイドフレーム２６に当接する形状であり、同様に緩衝部５５ｂ’は緩衝部材５５’の当接面２４０の前方端部がサイドフレーム１６に当接する形状である。これによれば、互いに平行な傾斜の当接面１４０，２４０が、互いの緩衝部５５ｂ，５５ｂ’により被覆されるため、矢印α方向視および矢印β方向視において当接箇所が目立つのを防止できるようになっている。
【００２７】
次いで、緩衝部材の第４変形例について図６（ｃ）を用いて説明する。本変形例は、平坦面に形成された緩衝部材７５の対向方向端部の略中央部に、溝部６０が設けられており、当該溝部６０に対し緩衝部材８５の対向方向端部の略中央部に設けられた突出部６３が嵌合可能になっている。そのため緩衝部材７５，８５同士の当接面は、溝部６０および突出部６３に遮断されて第１当接面Ｘ１と第２当接面Ｘ２とに分かれている。これによれば、矢印α方向視において第２当接面Ｘ２が溝部６０および突出部６３により遮蔽されるとともに、同様に矢印β方向視においては、溝部６０および突出部６３により反対側の第１当接面Ｘ１が遮蔽されて目立つことがない。
【００２８】
次いで、緩衝部材の第５変形例について図６（ｄ）を用いて説明する。本変形例は、緩衝部材９５，９５’が同一形状に形成されており、緩衝部７３の端面７３ａがサイドフレーム２６に、緩衝部８３の端面８３ａがサイドフレーム１６に当接するように設計されている。これによれば、矢印α方向視において、緩衝部８３の端面８３ａとサイドフレーム１６との当接箇所が緩衝部７３によって遮蔽されるとともに、矢印β方向視においても同様に、緩衝部７３の端面７３ａとサイドフレーム２６との当接箇所が突出部８３によって遮蔽可能になっている。
【００２９】
以上、本発明の実施例を図面により説明してきたが、具体的な構成はこれら実施例に限られるものではなく、本発明の要旨を逸脱しない範囲における変更や追加があっても本発明に含まれる。
【００３０】
例えば、前記実施例では、間仕切パネル下部は床面に走行自在なキャスタにより支持された構造となっているが、天井に架設されたレールにガイドローラが挿嵌された状態で移動可能に吊支されているだけの構造でも良く、必ずしも床面を走行自在なキャスタを取付けなくてもよい。
【符号の説明】
【００３１】
１                  移動間仕切装置
１０Ａ，１０Ｂ      間仕切パネル
１１，２１          対向部
１５，２５          緩衝部材
１５ａ，２５ａ      基部
１５ｂ，２５ｂ      緩衝部
１６，２６          サイドフレーム（枠体）
１６ａ，２６ａ      嵌入凹部
１２０，２２０      当接面（当接箇所）
２５１，２５２      突出部
α、β              矢印
Ｐ                  間隙
Ｆ                  床面
Ｒ                  天井
【図１】
2014015743.tif 000003
【図２】
2014015743.tif 000004
【図３】
2014015743.tif 000005
【図４】
2014015743.tif 000006
【図５】
2014015743.tif 000007
【図６】
2014015743.tif 000008
【図７】
2014015743.tif 000009